(57)【要約】  適切なＲＡＣＨ−ｌｅｓｓハンドオーバ制御を実現するための技術を提供することである。本発明の一態様は、ユーザ装置との無線通信を制御する通信制御部と、ＲＡＣＨ−ｌｅｓｓハンドオーバが可能なセルを示す対応セル情報を格納する対応セル情報格納部と、前記ユーザ装置がＲＡＣＨ−ｌｅｓｓハンドオーバ可能であるか判定するＲＡＣＨ−ｌｅｓｓハンドオーバ判定部とを有する基地局に関する。
2016031779.tif 000002
【特許請求の範囲】
【請求項１】
ユーザ装置との無線通信を制御する通信制御部と、
ＲＡＣＨ（Ｒａｎｄｏｍ  Ａｃｃｅｓｓ  Ｃｈａｎｎｅｌ）−ｌｅｓｓハンドオーバが可能なセルを示す対応セル情報を格納する対応セル情報格納部と、
前記ユーザ装置がＲＡＣＨ−ｌｅｓｓハンドオーバ可能であるか判定するＲＡＣＨ−ｌｅｓｓハンドオーバ判定部と、
を有する基地局。
【請求項２】
前記対応セル情報は、前記ＲＡＣＨ−ｌｅｓｓハンドオーバ可能なセルとして、ソースセルと同一の周波数の周辺セル及び前記ソースセルと同一の基地局のセルの少なくとも１つ以上を含む、請求項１記載の基地局。
【請求項３】
前記ＲＡＣＨ−ｌｅｓｓハンドオーバ判定部は、前記対応セル情報を参照して、前記ユーザ装置からメジャメントレポートにより報告されたセル識別子と前記ユーザ装置が接続しているソースセルとに基づき、前記ユーザ装置が前記セル識別子に対応するセルにＲＡＣＨ−ｌｅｓｓハンドオーバ可能であるか判定する、請求項１又は２記載の基地局。
【請求項４】
セルを介し基地局と通信する送受信部と、
接続中のサービングセルの周辺セルに関する周辺セル情報を管理する周辺セル情報管理部と、
前記サービングセルとの接続中に前記周辺セルに対してＰＲＡＣＨ（Ｐｈｙｓｉｃａｌ  Ｒａｎｄｏｍ  Ａｃｃｅｓｓ  Ｃｈａｎｎｅｌ）を送信し、前記送信したＰＲＡＣＨに対して受信したＲＡＲ（Ｒａｎｄｏｍ  Ａｃｃｅｓｓ  Ｒｅｓｐｏｎｓｅ）に示されるタイミング情報と前記サービングセルで適用されているタイミング情報とに基づき、前記周辺セルにＲＡＣＨ（Ｒａｎｄｏｍ  Ａｃｃｅｓｓ  Ｃｈａｎｎｅｌ）−ｌｅｓｓハンドオーバ可能であるか判定し、前記判定の結果を前記基地局に通知するＲＡＣＨ−ｌｅｓｓハンドオーバ判定部と、
を有するユーザ装置。
【請求項５】
前記ＲＡＣＨ−ｌｅｓｓハンドオーバ判定部は、前記受信したＲＡＲに示されるタイミングアドバンス値と、前記サービングセルで適用されているタイミングアドバンス値との差分を算出し、前記算出した差分が所定値以下である場合、前記周辺セルにＲＡＣＨ−ｌｅｓｓハンドオーバ可能であると判定する、請求項４記載のユーザ装置。
【請求項６】
セルを介し基地局と通信する送受信部と、
接続中のソースセルからターゲットセルへのＲＡＣＨ−ｌｅｓｓハンドオーバを制御するハンドオーバ制御部と、
前記ＲＡＣＨ−ｌｅｓｓハンドオーバの完了を判定するためのタイマを管理するタイマ管理部と、
を有するユーザ装置であって、
前記タイマ管理部は、前記ソースセルからＲＡＣＨ−ｌｅｓｓハンドオーバ指示を受信すると前記タイマを起動し、前記ＲＡＣＨ−ｌｅｓｓハンドオーバのターゲットセルから所定のメッセージを受信すると前記タイマを停止するユーザ装置。
【請求項７】
前記所定のメッセージは、前記ＲＡＣＨ−ｌｅｓｓハンドオーバのターゲットセルに送信したリソース割当要求メッセージに対するリソース割当メッセージである、請求項６記載のユーザ装置。
【請求項８】
前記所定のメッセージは、前記ＲＡＣＨ−ｌｅｓｓハンドオーバのターゲットセルに送信した接続再設定完了メッセージに対する送達確認である、請求項６記載のユーザ装置。
【請求項９】
前記所定のメッセージは、所定のダウンリンク制御メッセージである、請求項６記載のユーザ装置。
【請求項１０】
前記ＲＡＣＨ−ｌｅｓｓハンドオーバが完了したと判定されるまで、前記送受信部は、リソース割当要求メッセージ以外のアップリンクメッセージの送信を停止する、請求項６乃至９何れか一項記載のユーザ装置。
【発明の詳細な説明】
【技術分野】
【０００１】
本発明は、無線通信システムに関する。
【背景技術】
【０００２】
ＬＴＥ（Ｌｏｎｇ  Ｔｅｒｍ  Ｅｖｏｌｕｔｉｏｎ）システムでは、ＲＲＣ（Ｒａｄｉｏ  Ｒｅｓｏｕｒｃｅ  Ｃｏｎｔｒｏｌ）  ｃｏｎｎｅｃｔｅｄ状態のユーザ装置（Ｕｓｅｒ  Ｅｑｕｉｐｍｅｎｔ：ＵＥ）に対して最適なセルで通信を実行させるため、常時ハンドオーバ制御を実施している。すなわち、基地局（ｅｖｏｌｖｅｄ  ＮｏｄｅＢ：ｅＮＢ）によるメジャメント制御によって、ユーザ装置は、周辺セルとの通信状態を測定し、接続中のセルより通信品質の良好なセルを検出すると、当該事象を基地局に通知する。当該通知を受信すると、基地局は、ユーザ装置に対して当該セルへ遷移するためのハンドオーバ指示を送信し、ユーザ装置は、当該ハンドオーバ指示により指定された遷移先のセルへの接続を試みる。【０００３】
図１は、ＬＴＥシステムにおけるハンドオーバ制御を示すシーケンス図である。図１に示されるように、ユーザ装置（ＵＥ）は、接続中の基地局（Ｓ−ｅＮＢ）によるメジャメント制御の下、周辺セルの通信状態を測定し、測定結果（Ｍｅａｓｕｒｅｍｅｎｔ  ｒｅｐｏｒｔ）を基地局（Ｓ−ｅＮＢ）に報告する。接続中のセルより通信品質の良好なセルが検出されると、基地局（Ｓ−ｅＮＢ）は、検出されたセルのターゲット基地局（Ｔ−ｅＮＢ）に対してハンドオーバリクエスト（ＨＯ  ｒｅｑｕｅｓｔ）を送信する。ターゲット基地局（Ｔ−ｅＮＢ）から当該ハンドオーバリクエストに対する送達確認（ＨＯ  ｒｅｑｕｅｓｔ  ＡＣＫ）を受信すると、基地局（Ｓ−ｅＮＢ）は、ユーザ装置（ＵＥ）にハンドオーバ指示を送信すると共に、ユーザ装置（ＵＥ）に送信未完了のデータをターゲット基地局（Ｔ−ｅＮＢ）に転送する。【０００４】
当該ハンドオーバ指示を受信すると、ユーザ装置（ＵＥ）は、ハンドオーバ指示に指定されたターゲット基地局（Ｔ−ｅＮＢ）に接続するためランダムアクセス（Ｒａｎｄｏｍ  Ａｃｃｅｓｓ：ＲＡ）手順を実行する。ターゲット基地局（Ｔ−ｅＮＢ）との接続が完了すると、ユーザ装置は、ＲＲＣ  ｃｏｎｎｅｃｔｉｏｎ  ｒｅｃｏｎｆｉｇｕｒａｔｉｏｎ  ｃｏｍｐｌｅｔｅをターゲット基地局（Ｔ−ｅＮＢ）に送信する。当該メッセージを受信すると、ターゲット基地局（Ｔ−ｅＮＢ）は、ユーザ装置（ＵＥ）の接続先が変更されたことを通知するため、コアノード（ＣＮ）にＰａｔｈ  ｓｗｉｔｃｈ  ｒｅｑｕｅｓｔを送信する。その後、コアノードは、ユーザ装置（ＵＥ）宛てのパケットの送信先をソース基地局（Ｓ−ｅＮＢ）からターゲット基地局（Ｔ−ｅＮＢ）に変更する。【０００５】
さらなる詳細については、例えば、３ＧＰＰ  ＴＳ３６．３００  Ｖ１２．２．０（２０１４−０６）及び３ＧＰＰ  ＴＳ３６．２１３  Ｖ１２．２．０（２０１４−０６）を参照されたい。
【発明の概要】
【発明が解決しようとする課題】
【０００６】
現在のＬＴＥ仕様では、ハンドオーバ時にアップリンクの同期確立のため、ユーザ装置は必ずＲＡ手順を実施することが規定され、このため、ハンドオーバ時にＲＡ手順に伴う瞬断が発生する。一方、このようなＲＡ手順によるアップリンクの同期確立が不要なケース（同一周波数間のハンドオーバなど）も実際にはあり、当該ケースにおいては不要なＲＡ手順による通信の瞬断が発生している。【０００７】
そこで、このようなＲＡ手順が不要なケースにおいて、ＲＡ手順を省略し、ハンドオーバ時の瞬断によるスループットの低下を回避するため、ＲＡ手順を実施することなくハンドオーバを実行するＲＡＣＨ（Ｒａｎｄｏｍ  Ａｃｃｅｓｓ  Ｃｈａｎｎｅｌ）−ｌｅｓｓハンドオーバ制御が検討されている。【０００８】
しかしながら、現在のＬＴＥ仕様では、このようなＲＡＣＨ−ｌｅｓｓハンドオーバが実施可能なセルや基地局を判定するための手段が規定されていない。すなわち、現在のハンドオーバ手順の起動時には、ソースセルとターゲットセルとの間にアップリンク送信タイミングのずれがあるか判定されず、ＲＡ手順が必要なハンドオーバであるか判定されていない。このため、対象となるハンドオーバがＲＡＣＨ−ｌｅｓｓハンドオーバにより実施可能であるか判定することができず、ＲＡＣＨ−ｌｅｓｓハンドオーバを起動することができない。【０００９】
また、ＲＡＣＨ−ｌｅｓｓハンドオーバが失敗した際の動作も規定されていない。現状のハンドオーバ手順では、ユーザ装置は、ハンドオーバ指示を受信すると、Ｔ３０４タイマを起動し、当該タイマが満了するまでにハンドオーバ処理を完了することが規定されている。このため、ＲＡ手順が完了することなくＴ３０４タイマが満了した場合、ユーザ装置は、ハンドオーバが失敗したと判断し、再接続手順を起動する。しかしながら、ＲＡＣＨ−ｌｅｓｓハンドオーバでは、ＲＡ手順が省略されるため、当該ＲＡＣＨ−ｌｅｓｓハンドオーバ指示の受信に応答して起動されたＴ３０４タイマが停止されず、当該タイマは必ず満了することになる。この結果、ユーザ装置は、不要な再接続手順を起動することになり、スループットが低下する。【００１０】
上述した問題点を鑑み、本発明の課題は、適切なＲＡＣＨ−ｌｅｓｓハンドオーバ制御を実現するための技術を提供することである。
【課題を解決するための手段】
【００１１】
上記課題を解決するため、本発明の一態様は、ユーザ装置との無線通信を制御する通信制御部と、ＲＡＣＨ−ｌｅｓｓハンドオーバが可能なセルを示す対応セル情報を格納する対応セル情報格納部と、前記ユーザ装置がＲＡＣＨ−ｌｅｓｓハンドオーバ可能であるか判定するＲＡＣＨ−ｌｅｓｓハンドオーバ判定部とを有する基地局に関する。【００１２】
本発明の他の態様は、セルを介し基地局と通信する送受信部と、接続中のサービングセルの周辺セルに関する周辺セル情報を管理する周辺セル情報管理部と、前記サービングセルとの接続中に前記周辺セルに対してＰＲＡＣＨ（Ｐｈｙｓｉｃａｌ  Ｒａｎｄｏｍ  Ａｃｃｅｓｓ  Ｃｈａｎｎｅｌ）を送信し、前記送信したＰＲＡＣＨに対して受信したＲＡＲ（Ｒａｎｄｏｍ  Ａｃｃｅｓｓ  Ｒｅｓｐｏｎｓｅ）に示されるタイミング情報と前記サービングセルで適用されているタイミング情報とに基づき、前記周辺セルにＲＡＣＨ−ｌｅｓｓハンドオーバ可能であるか判定し、前記判定の結果を前記基地局に通知するＲＡＣＨ−ｌｅｓｓハンドオーバ判定部とを有するユーザ装置に関する。【００１３】
本発明の更なる他の態様は、セルを介し基地局と通信する送受信部と、接続中のサービングセルからターゲットセルへのＲＡＣＨ−ｌｅｓｓハンドオーバを制御するハンドオーバ制御部と、前記ＲＡＣＨ−ｌｅｓｓハンドオーバの完了を判定するためのタイマを管理するタイマ管理部とを有するユーザ装置であって、前記タイマ管理部は、前記サービングセルからＲＡＣＨ−ｌｅｓｓハンドオーバ指示を受信すると前記タイマを起動し、前記ＲＡＣＨ−ｌｅｓｓハンドオーバのターゲットセルから所定のメッセージを受信すると前記タイマを停止するユーザ装置に関する。
【発明の効果】
【００１４】
本発明によると、適切なＲＡＣＨ−ｌｅｓｓハンドオーバ制御を実現することができる。
【図面の簡単な説明】
【００１５】
【図１】図１は、ＬＴＥシステムにおけるハンドオーバ制御を示すシーケンス図である。
【図２】図２は、本発明の一実施例による無線通信システムを示す概略図である。
【図３】図３は、本発明の第１実施例による基地局の構成を示すブロック図である。
【図４】図４は、本発明の第１実施例による基地局におけるＲＡＣＨ−ｌｅｓｓハンドオーバ判定処理を示すフロー図である。
【図５】図５は、本発明の第１実施例によるユーザ装置の構成を示すブロック図である。
【図６】図６は、本発明の第１実施例によるユーザ装置におけるＲＡＣＨ−ｌｅｓｓハンドオーバ判定処理を示すフロー図である。
【図７】図７は、本発明の第２実施例によるユーザ装置の構成を示すブロック図である。
【図８】図８は、本発明の第２実施例によるユーザ装置におけるＲＡＣＨ−ｌｅｓｓハンドオーバ完了判定処理を示すフロー図である。
【発明を実施するための形態】
【００１６】
以下、図面に基づいて本発明の実施の形態を説明する。
【００１７】
後述される実施例では、ＲＡ手順を実行することなくハンドオーバを実現するＲＡＣＨ−ｌｅｓｓハンドオーバを実行する基地局及びユーザ装置が開示される。
【００１８】
本発明の第１実施例を概略すると、ターゲットセルがＲＡＣＨ−ｌｅｓｓハンドオーバ可能なセルであるかに関する判定が、基地局及びユーザ装置により実現される。基地局は、周辺セルがＲＡＣＨ−ｌｅｓｓハンドオーバ可能なセルであるか否かを示す対応セル情報を保持し、当該周辺セルへのハンドオーバの実施の際、当該対応セル情報に基づきＲＡＣＨ−ｌｅｓｓハンドオーバを適用するか否かを判定する。他方、ユーザ装置は、周辺セルからタイミング情報を取得し、当該タイミング情報とソースセルのタイミング情報とを比較し、アップリンク送信タイミングのずれが有意に存在しない場合、当該周辺セルをＲＡＣＨ−ｌｅｓｓハンドオーバ可能なセルとして基地局に報告する。本実施例によると、ＲＡＣＨ−ｌｅｓｓハンドオーバが適用可能であるか判定することが可能になる。
【００１９】
本発明の第２実施例を概略すると、ユーザ装置は、ＲＡＣＨ−ｌｅｓｓハンドオーバ指示を受信するとタイマを起動し、当該タイマの満了までに所定のメッセージをターゲットセルから受信できた場合、ＲＡＣＨ−ｌｅｓｓハンドオーバが完了したと判断する。当該タイマは、例えば、ＬＴＥ仕様におけるＴ３０４タイマであってもよい。本実施例によると、ＲＡＣＨ−ｌｅｓｓハンドオーバが完了したか判定することが可能になると共に、ＲＡ手順が実行されないＲＡＣＨ−ｌｅｓｓハンドオーバにおいてＴ３０４タイマを適切に停止させることが可能になる。
【００２０】
まず、図２を参照して、本発明の一実施例による無線通信システムを説明する。図２は、本発明の一実施例による無線通信システムを示す概略図である。
【００２１】
図２に示されるように、無線通信システム１０は、基地局１０１，１０２又は３０１，３０２（以降、それぞれ基地局１００，３００として総称される）と、ユーザ装置２００又は４００とを有する。説明の便宜上、後述される第１実施例では、基地局１００及びユーザ装置２００が使用され、第２実施例では、基地局３００及びユーザ装置４００が使用される。一実施例では、無線通信システム１０は、ＬＴＥシステム又はＬＴＥ−Ａｄｖａｎｃｅｄシステムである。図示された実施例では、２つの基地局１０１，１０２又は３０１，３０２しか示されていないが、一般には、無線通信システム１０のサービスエリアをカバーするよう多数の基地局が配置される。
【００２２】
基地局１００，３００は、１以上のセルを提供し、当該セルを介しユーザ装置２００，４００と無線通信する。図示された実施例では、基地局１０１，３０１はセルＣ１１，Ｃ１２を提供し、セルＣ１１を介しユーザ装置２００，４００と現在接続している。他方、基地局１０２，３０２はセルＣ２１を提供し、基地局１０１，３０１に隣接して配置されている。ユーザ装置２００，４００は、セルＣ１１との接続中に周辺セルＣ１２，Ｃ２１の通信状態を測定し、測定結果を基地局１０１，３０１に報告する（メジャメント制御）。接続中のセルＣ１１より通信品質が良好なセルが検出されると、基地局１０１，３０１は、当該セルを遷移先とするハンドオーバ指示をユーザ装置２００，４００に通知する。以下の実施例では、セルＣ１１，Ｃ１２，Ｃ２１の間のハンドオーバは、ＲＡ手順を実行することなくハンドオーバ可能なＲＡＣＨ−ｌｅｓｓハンドオーバに対応可能である。また、基地局１０１，３０１と基地局１０２，３０２とは相互接続され、Ｘ２インタフェースを介し通信可能である。
【００２３】
基地局１００，３００は、典型的には、ユーザ装置２００，４００と無線通信するための通信回路、コアネットワーク（図示せず）や他の基地局と通信するための通信インタフェース、コアネットワークとユーザ装置２００，４００との間の無線通信を制御するためのプロセッサ、メモリ、各種回路などのハードウェアリソースにより構成される。後述される基地局１００，３００の各機能及び処理は、メモリに格納されているデータやプログラムをプロセッサ又は通信回路が処理又は実行することによって実現されてもよい。しかしながら、基地局１００，３００は、上述したハードウェア構成に限定されず、他の何れか適切なハードウェア構成を有してもよい。
【００２４】
ユーザ装置２００，４００は、基地局１００，３００により提供されるセルの何れかに在圏し、当該セルを介し基地局１００，３００と無線通信する。以下の実施例では、図示されるように、ユーザ装置２００，４００は、基地局１０１，３０１のソースセルから基地局１０２，３０２のターゲットセルへのＲＡＣＨ−ｌｅｓｓハンドオーバを実行している。しかしながら、本発明は、これに限定されものでなく、例えば、基地局１０１，３０１内のソースセルからターゲットセルへのＲＡＣＨ−ｌｅｓｓハンドオーバに適用されてもよい。
【００２５】
ユーザ装置２００，４００は、スマートフォン、携帯電話、タブレット、ウェアラブル端末などの無線通信機能を備えた何れか適切な情報処理装置であり、基地局１００，３００と無線接続することによって、無線通信システム１０により提供される各種通信サービスを利用する。ユーザ装置２００，４００は、プロセッサなどのＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）やフラッシュメモリなどのメモリ装置、基地局１００，３００との間で無線信号を送受信するための無線通信回路などから構成される。例えば、後述されるユーザ装置２００，４００の各機能及び処理は、メモリ装置に格納されているデータやプログラムをＣＰＵが処理又は実行することによって、あるいは、無線通信回路が無線信号を送受信することによって実現されてもよい。しかしながら、ユーザ装置２００，４００は、上述したハードウェア構成に限定されず、後述する処理の１つ以上を実現する回路などにより構成されてもよい。
【００２６】
次に、図３〜６を参照して、本発明の第１実施例によるＲＡＣＨ−ｌｅｓｓハンドオーバ判定処理を説明する。後述される第１実施例では、ターゲットセルがＲＡＣＨ−ｌｅｓｓハンドオーバ可能であるか判定される。図３〜４を参照して、基地局１００が当該判定を実行するケースが説明され、図５〜６を参照して、ユーザ装置２００が当該判定を実行するケースが説明される。
【００２７】
図３は、本発明の第１実施例による基地局の構成を示すブロック図である。図示される実施例では、ターゲットセルがＲＡＣＨ−ｌｅｓｓハンドオーバ可能であるか否かの判定が基地局により実行され、基地局は、判定結果に応じてＲＡＣＨ−ｌｅｓｓハンドオーバ又は通常のハンドオーバをユーザ装置に指示する。図３に示されるように、基地局１００は、通信制御部１１０、対応セル情報格納部１２０及びＲＡＣＨ−ｌｅｓｓハンドオーバ判定部１３０を有する。
【００２８】
通信制御部１１０は、ユーザ装置２００との無線通信を制御する。具体的には、通信制御部１１０は、セルを介しユーザ装置２００との間で各種制御信号及びデータ信号を送受信すると共に、ユーザ装置２００を通信状態のより良好なセルに遷移させるためのハンドオーバ制御を実行する。典型的なハンドオーバ制御では、ユーザ装置２００に周辺セルとの通信状態を測定させ、測定対象の周辺セルを示すセル識別子（Ｐｈｙｓｉｃａｌ  Ｃｅｌｌ  Ｉｄｅｎｔｉｆｉｅｒ：ＰＣＩ）と検出した通信品質とを示す測定結果（Ｍｅａｓｕｒｅｍｅｎｔ  Ｒｅｐｏｒｔ）を報告させる（メジャメント制御）。接続中のセル（ソースセル）より通信品質が良好な周辺セルが検出されると、通信制御部１１０は、検出された周辺セルに遷移させるためのハンドオーバ指示をユーザ装置２００に通知する。
【００２９】
本実施例では、当該ハンドオーバ指示を通知する前に、通信制御部１１０は、ＲＡＣＨ−ｌｅｓｓハンドオーバ判定部１３０に当該周辺セルがＲＡＣＨ−ｌｅｓｓハンドオーバ可能なセルであるか判定させる。当該周辺セルがＲＡＣＨ−ｌｅｓｓハンドオーバ可能なセルである場合、通信制御部１１０は、ＲＡ手順を実行することなく当該周辺セルにハンドオーバするＲＡＣＨ−ｌｅｓｓハンドオーバ指示をユーザ装置２００に通知する。他方、当該周辺セルがＲＡＣＨ−ｌｅｓｓハンドオーバ可能なセルでない場合、通信制御部１１０は、ＲＡ手順を実行することによって当該周辺セルにハンドオーバする通常のハンドオーバ指示をユーザ装置２００に通知する。
【００３０】
なお、ユーザ装置２００がＲＡＣＨ−ｌｅｓｓハンドオーバ機能を有しているかを示す情報要素がＵＥ能力情報（ＵＥ  Ｃａｐａｂｉｌｉｔｙ）に規定される場合、通信制御部１１０は、ユーザ装置２００から取得したＵＥ能力情報内の当該情報要素を参照し、ＲＡＣＨ−ｌｅｓｓハンドオーバ判定の実行要否を判定してもよい。すなわち、通信制御部１１０は、ユーザ装置２００がＲＡＣＨ−ｌｅｓｓハンドオーバ機能を有しているか確認し、ＲＡＣＨ−ｌｅｓｓハンドオーバ機能を有するユーザ装置２００に対してのみＲＡＣＨ−ｌｅｓｓハンドオーバ判定部１３０を起動するようにしてもよい。換言すると、通信制御部１１０は、ＲＡＣＨ−ｌｅｓｓハンドオーバ機能を有さないユーザ装置２００については、ＲＡＣＨ−ｌｅｓｓハンドオーバ判定部１３０を起動することなく、通常のハンドオーバ指示をユーザ装置２００に通知してもよい。
【００３１】
対応セル情報格納部１２０は、ＲＡＣＨ−ｌｅｓｓハンドオーバが可能なセルを示す対応セル情報を格納する。すなわち、基地局１００は、周辺セルがＲＡＣＨ−ｌｅｓｓハンドオーバ可能なセルであるかを示す対応セル情報を予め保持する。例えば、当該対応セル情報は、各周辺セルがＲＡＣＨ−ｌｅｓｓハンドオーバ可能であるか否かを示すテーブル形式により構成されてもよく、例えば、周辺セルａがＲＡＣＨ−ｌｅｓｓハンドオーバ可能である場合にはビット"１"が割り当てられ、ＲＡＣＨ−ｌｅｓｓハンドオーバ不可である場合にはビット"０"が割り当てられてもよい。他の例では、当該対応セル情報は、ＲＡＣＨ−ｌｅｓｓハンドオーバ可能な周辺セルのみを構成要素として含むものであってもよい。
【００３２】
一実施例では、対応セル情報は、ＲＡＣＨ−ｌｅｓｓハンドオーバ可能なセルとして、ソースセルと同一の周波数の周辺セル及び当該ソースセルと同一の基地局１００のセルの少なくとも１つ以上を含むものであってもよい。これは、ソースセルとターゲットセルとのアップリンク送信タイミングのずれが所定の閾値以下である場合、ソースセルとターゲットセルとの間のアップリンク送信タイミングの有意なずれは存在せず、ハンドオーバ時のＲＡ手順の実行が不要であり、ターゲットセルへのＲＡＣＨ−ｌｅｓｓハンドオーバが適用可能である可能性が高いためである。また、ソースセルとターゲットセルとが同一の基地局１００により提供される場合、同様にソースセルとターゲットセルとの間のアップリンク送信タイミングの有意なずれは存在せず、ハンドオーバ時のＲＡ手順の実行が不要であり、ターゲットセルへのＲＡＣＨ−ｌｅｓｓハンドオーバが適用可能である可能性が高いためである。
【００３３】
なお、基地局１００が複数のセルを提供している場合、対応セル情報格納部１２０は、各セルに対して上述した対応セル情報を保持し、ＲＡＣＨ−ｌｅｓｓハンドオーバ判定部１３０は、ユーザ装置２００が接続しているセルに関する対応セル情報を参照して、ＲＡＣＨ−ｌｅｓｓハンドオーバ可能であるか判定する。
【００３４】
ＲＡＣＨ−ｌｅｓｓハンドオーバ判定部１３０は、ユーザ装置２００がＲＡＣＨ−ｌｅｓｓハンドオーバ可能であるか判定する。一実施例では、ＲＡＣＨ−ｌｅｓｓハンドオーバ判定部１３０は、対応セル情報を参照して、ユーザ装置２００からメジャメントレポートにより報告されたセル識別子とユーザ装置２００が接続しているソースセルとに基づき、ユーザ装置２００がソースセルから当該セル識別子に対応するセルにＲＡＣＨ−ｌｅｓｓハンドオーバ可能であるか判定する。
【００３５】
例えば、対応セル情報が各周辺セルがＲＡＣＨ−ｌｅｓｓハンドオーバ可能であるか否かを示す場合、ＲＡＣＨ−ｌｅｓｓハンドオーバ判定部１３０は、対応セル情報格納部１２０に格納されているソースセルに関する対応セル情報を参照して、通信制御部１１０により指定されたハンドオーバ対象のセル識別子に対応する周辺セルがＲＡＣＨ−ｌｅｓｓハンドオーバ可能なセルであるか判断する。当該周辺セルがＲＡＣＨ−ｌｅｓｓハンドオーバ可能なセルである場合、ＲＡＣＨ−ｌｅｓｓハンドオーバ判定部１３０は、当該周辺セルがＲＡＣＨ−ｌｅｓｓハンドオーバ可能なセルであると判定し、当該判定結果を通信制御部１１０に通知する。他方、当該周辺セルがＲＡＣＨ−ｌｅｓｓハンドオーバ可能なセルでない場合、ＲＡＣＨ−ｌｅｓｓハンドオーバ判定部１３０は、当該周辺セルがＲＡＣＨ−ｌｅｓｓハンドオーバ可能なセルでないと判定し、当該判定結果を通信制御部１１０に通知する。
【００３６】
他の例では、対応セル情報がＲＡＣＨ−ｌｅｓｓハンドオーバ可能な周辺セルのみを構成要素として含む場合、ＲＡＣＨ−ｌｅｓｓハンドオーバ判定部１３０は、対応セル情報格納部１２０に格納されているソースセルに関する対応セル情報を参照して、通信制御部１１０により指定されたハンドオーバ対象のセル識別子に対応する周辺セルが当該対応セル情報に含まれているか判断する。当該周辺セルが当該対応セル情報に含まれている場合、ＲＡＣＨ−ｌｅｓｓハンドオーバ判定部１３０は、当該周辺セルがＲＡＣＨ−ｌｅｓｓハンドオーバ可能なセルであると判定し、当該判定結果を通信制御部１１０に通知する。他方、当該周辺セルが当該対応セル情報に含まれていない場合、ＲＡＣＨ−ｌｅｓｓハンドオーバ判定部１３０は、当該周辺セルがＲＡＣＨ−ｌｅｓｓハンドオーバ可能なセルでないと判定し、当該判定結果を通信制御部１１０に通知する。
【００３７】
図４は、本発明の第１実施例による基地局におけるＲＡＣＨ−ｌｅｓｓハンドオーバ判定処理を示すフロー図である。基地局１００が、通信中のユーザ装置２００に対してメジャメント制御を実行し、ユーザ装置２００に周辺セルの通信状態を測定させている。
【００３８】
図４に示されるように、ステップＳ１０１において、通信制御部１１０は、ユーザ装置２００からメジャメントレポートを受信する。当該メジャメントレポートは、例えば、測定対象となった周辺セルのセル識別子（ＰＣＩ）と、当該周辺セルについて測定された通信品質とを含むものであってもよい。
【００３９】
ステップＳ１０２において、受信したメジャメントレポートに基づき周辺セルへのハンドオーバを実施する場合、ＲＡＣＨ−ｌｅｓｓハンドオーバ判定部１３０は、ソースセルに対する対応セル情報を参照して、当該周辺セルがＲＡＣＨ−ｌｅｓｓハンドオーバ可能なセルであるか判定する。当該対応セル情報は、基地局１００により提供される各セルに対して構成され、当該セルから各周辺セルへのＲＡＣＨ−ｌｅｓｓハンドオーバが可能であるか否かを示す。
【００４０】
当該周辺セルがＲＡＣＨ−ｌｅｓｓハンドオーバ可能なセルである場合（Ｓ１０２：ＹＥＳ）、通信制御部１１０は、ステップＳ１０３において、当該周辺セルをターゲットセルとして指定したＲＡＣＨ−ｌｅｓｓハンドオーバ指示をユーザ装置２００に通知する。当該ＲＡＣＨ−ｌｅｓｓハンドオーバ指示を受信すると、ユーザ装置２００は、ＲＡ手順を実行することなく、指定されたターゲットセルへのＲＡＣＨ−ｌｅｓｓハンドオーバを実行する。
【００４１】
他方、当該周辺セルがＲＡＣＨ−ｌｅｓｓハンドオーバ可能なセルでない場合（Ｓ１０２：ＮＯ）、通信制御部１１０は、ステップＳ１０４において、当該周辺セルをターゲットセルとして指定したＲＡ手順を伴う通常のハンドオーバ指示をユーザ装置２００に通知する。当該ハンドオーバ指示を受信すると、ユーザ装置２００は、ＲＡ手順を実行することによって、指定されたターゲットセルへのハンドオーバを実行する。
【００４２】
図５は、本発明の第１実施例によるユーザ装置の構成を示すブロック図である。図示される実施例では、ターゲットセルがＲＡＣＨ−ｌｅｓｓハンドオーバ可能であるか否かの判定がユーザ装置により実行され、ユーザ装置は判定結果を基地局に報告する。当該判定結果を受信すると、基地局は、判定結果に応じてＲＡＣＨ−ｌｅｓｓハンドオーバ又は通常のハンドオーバをユーザ装置に指示する。図５に示されるように、ユーザ装置２００は、送受信部２１０、周辺セル情報管理部２２０及びＲＡＣＨ−ｌｅｓｓハンドオーバ判定部２３０を有する。ここで、ユーザ装置２００は、サービングセル又はソースセルを介し基地局１０１（サービング基地局）と現在接続中であり、基地局１０２のセルにハンドオーバする。
【００４３】
送受信部２１０は、セルを介し基地局１００と通信する。具体的には、送受信部２１０は、基地局１００との間でアップリンク／ダウンリンク制御チャネルやアップリンク／ダウンリンクデータチャネルなどの各種無線チャネルを送受信する。
【００４４】
周辺セル情報管理部２２０は、接続中のサービングセルの周辺セルに関する周辺セル情報を管理する。当該周辺セル情報は、接続中のサービングセルの各周辺セルの周波数や報知情報を含むものであってもよい。周辺セル情報は、サービングセルへのイニシャルアクセス時にサービング基地局１０１から個別シグナリングにより通知されてもよいし、あるいは、周辺セル情報管理部２２０が自律的に周辺セルから送信される報知情報を取得してもよい。
【００４５】
ＲＡＣＨ−ｌｅｓｓハンドオーバ判定部２３０は、サービングセルとの接続中に周辺セルに対してＰＲＡＣＨ（Ｐｈｙｓｉｃａｌ  Ｒａｎｄｏｍ  Ａｃｃｅｓｓ  Ｃｈａｎｎｅｌ）を送信し、送信したＰＲＡＣＨに対して受信したＲＡＲ（Ｒａｎｄｏｍ  Ａｃｃｅｓｓ  Ｒｅｓｐｏｎｓｅ）に示されるタイミング情報とサービングセルで適用されているタイミング情報とに基づき、当該周辺セルにＲＡＣＨ−ｌｅｓｓハンドオーバ可能であるか判定し、当該判定の結果を基地局１０１に通知する。具体的には、ＲＡＣＨ−ｌｅｓｓハンドオーバ判定部２３０は、サービングセルへの接続中に所定の期間において周辺セルに対してＰＲＡＣＨの送信を試みる。当該所定の期間は、ソース基地局１０１によって設定され、メジャメントギャップ期間とみなされてもよい。また、送信されるＰＲＡＣＨは、ｃｏｎｔｅｎｔｉｏｎ−ｂａｓｅｄのものであってもよいし、あるいは、個別に通知されたｄｅｄｉｃａｔｅｄ  ｐｒｅａｍｂｌｅを利用したものであってもよい。
【００４６】
当該ＰＲＡＣＨをユーザ装置２００から受信すると、ターゲット基地局１０２は、受信したＰＲＡＣＨに対してＲＡＲをユーザ装置２００に送信する。ここで、ユーザ装置２００は、通常のＲＡ手順と同様に、ＲＡＲを受信するまでＰＲＡＣＨの再送を繰り返す。ただし、当該ＰＲＡＣＨの再送回数は、通常のＲＡ手順で規定される再送回数より少なく設定されてもよい。これは、ＰＲＡＣＨの再送を継続すると、サービングセルでの通信が遮断される期間が長くなるためである。
【００４７】
ターゲット基地局１０２からＲＡＲを受信すると、ＲＡＣＨ−ｌｅｓｓハンドオーバ判定部２３０は、受信したＲＡＲに示されるタイミングアドバンス（ＴＡ）値と、サービングセルで適用されているタイミングアドバンス（ＴＡ）値との差分を算出し、算出した差分が所定値以下である場合、周辺セルにＲＡＣＨ−ｌｅｓｓハンドオーバ可能であると判定する。当該所定値は、ソースセルとターゲットセルとの間のアップリンク送信タイミングのずれが有意には存在しないとみなすことができる期間に設定され、例えば、サービング基地局１０１により設定されてもよい。
【００４８】
ＲＡＣＨ−ｌｅｓｓハンドオーバ判定部２３０は、当該判定結果をサービング基地局１０１に報告する。当該報告は、例えば、既存のメジャメントレポートを拡張することによって通知されてもよいし、あるいは、新規に定義された制御信号により通知されてもよい。当該判定結果を受信すると、サービング基地局１０１は、当該判定結果を記憶し、ユーザ装置２００を当該周辺セルにハンドオーバさせる際、判定結果に応じてＲＡＣＨ−ｌｅｓｓハンドオーバ指示又は通常のハンドオーバ指示を選択的に通知してもよい。
【００４９】
図６は、本発明の第１実施例によるユーザ装置におけるＲＡＣＨ−ｌｅｓｓハンドオーバ判定処理を示すフロー図である。
【００５０】
図６に示されるように、ステップＳ２０１において、周辺セル情報管理部２２０は、周辺セル情報を取得する。周辺セル情報は、例えば、接続中のサービングセルの各周辺セルの周波数や報知情報を含むものであってもよい。例えば、周辺セル情報管理部２２０は、サービングセルへのイニシャルアクセス時にサービング基地局１０１から個別シグナリングにより周辺セル情報を取得してもよいし、あるいは、自律的に周辺セルから送信される報知情報を取得してもよい。
【００５１】
ステップＳ２０２において、ＲＡＣＨ−ｌｅｓｓハンドオーバ判定部２３０は、サービング基地局１０１により設定された所定の期間において、周辺セル情報を参照して周辺セルにＰＲＡＣＨを送信する。例えば、当該所定の期間は、メジャメントギャップ期間とみなされてもよい。
【００５２】
ステップＳ２０３において、周辺セルからＰＲＡＣＨに対するＲＡＲを受信すると、ＲＡＣＨ−ｌｅｓｓハンドオーバ判定部２３０は、受信したＲＡＲに示されるタイミング情報とサービングセルで適用されているタイミング情報とに基づき、当該周辺セルにＲＡＣＨ−ｌｅｓｓハンドオーバ可能であるか判定する。当該タイミング情報は、限定することなく、タイミングアドバンス（ＴＡ）値であってもよい。この場合、ＲＡＣＨ−ｌｅｓｓハンドオーバ判定部２３０は、周辺セルで適用されるタイミングアドバンス値とサービングセルで適用されるタイミングアドバンス値との差分を算出し、算出した差分が所定値以下である場合、当該周辺セルとサービングセルとの間にアップリンク送信タイミングの有意なずれがないと判断し、当該周辺セルはＲＡＣＨ−ｌｅｓｓハンドオーバ可能なセルであると判定する。他方、算出した差分が所定値より大きい場合、ＲＡＣＨ−ｌｅｓｓハンドオーバ判定部２３０は、当該周辺セルとサービングセルとの間にアップリンク送信タイミングの有意なずれがあると判断し、当該周辺セルはＲＡＣＨ−ｌｅｓｓハンドオーバ可能なセルでないと判定する。
【００５３】
当該周辺セルにＲＡＣＨ−ｌｅｓｓハンドオーバ可能である場合（Ｓ２０３：ＹＥＳ）、ＲＡＣＨ−ｌｅｓｓハンドオーバ判定部２３０は、ステップＳ２０４において、当該周辺セルがＲＡＣＨ−ｌｅｓｓハンドオーバ可能なセルであることを基地局１０１に通知する。他方、当該周辺セルにＲＡＣＨ−ｌｅｓｓハンドオーバ可能でない場合（Ｓ２０３：ＮＯ）、ＲＡＣＨ−ｌｅｓｓハンドオーバ判定部２３０は、ステップＳ２０５において、当該周辺セルがＲＡＣＨ−ｌｅｓｓハンドオーバ不可なセルであることを基地局１０１に通知する。これらの通知に基づき、サービング基地局１０１は、当該周辺セルにハンドオーバさせる際、当該周辺セルがＲＡＣＨ−ｌｅｓｓハンドオーバ可能なセルである場合には、ユーザ装置２００にＲＡＣＨ−ｌｅｓｓハンドオーバ指示を通知し、当該周辺セルがＲＡＣＨ−ｌｅｓｓハンドオーバ不可なセルである場合には、ユーザ装置２００に通常のハンドオーバ指示を通知する。
【００５４】
次に、図７〜８を参照して、本発明の第２実施例によるＲＡＣＨ−ｌｅｓｓハンドオーバ完了判定処理を説明する。後述される第２実施例では、ハンドオーバ処理の完了を判定するためのＴ３０４タイマを用いた現状のハンドオーバ手順において、ユーザ装置が、ＲＡ手順を実行しないＲＡＣＨ−ｌｅｓｓハンドオーバの完了判定を実行する。
【００５５】
図７は、本発明の第２実施例によるユーザ装置の構成を示すブロック図である。図７に示されるように、ユーザ装置４００は、送受信部４１０、ハンドオーバ制御部４２０及びタイマ管理部４３０を有する。
【００５６】
送受信部４１０は、セルを介し基地局３０１，３０２と通信する。具体的には、送受信部４１０は、基地局３０１，３０２との間でアップリンク／ダウンリンク制御チャネルやアップリンク／ダウンリンクデータチャネルなどの各種無線チャネルを送受信する。
【００５７】
ハンドオーバ制御部４２０は、接続中のソースセルからターゲットセルへのＲＡＣＨ−ｌｅｓｓハンドオーバを制御する。具体的には、ハンドオーバ制御部４２０は、ソース基地局３０１からターゲットセルへのＲＡＣＨ−ｌｅｓｓハンドオーバ指示を受信すると、ＲＡ手順を実行することなく、当該ターゲットセルにスケジューリングリクエストを送信することによってＲＡＣＨ−ｌｅｓｓハンドオーバを実施する。
【００５８】
タイマ管理部４３０は、ＲＡＣＨ−ｌｅｓｓハンドオーバの完了を判定するためのタイマを管理し、ソースセルからＲＡＣＨ−ｌｅｓｓハンドオーバ指示を受信すると当該タイマを起動し、ＲＡＣＨ−ｌｅｓｓハンドオーバのターゲットセルから所定のメッセージを受信すると当該タイマを停止する。当該タイマは、例えば、ＬＴＥ仕様における通常のハンドオーバ手順に用いられるＴ３０４タイマであってもよいし、ＲＡＣＨ−ｌｅｓｓハンドオーバ手順用に新規に定義された専用のタイマであってもよい。
【００５９】
一実施例では、当該所定のメッセージは、ＲＡＣＨ−ｌｅｓｓハンドオーバのターゲットセルに送信したリソース割当要求メッセージに対するリソース割当メッセージであってもよい。例えば、ＬＴＥシステムでは、当該リソース割当要求メッセージは、ｓｃｈｅｄｕｌｉｎｇ  ｒｅｑｕｅｓｔであり、当該リソース割当メッセージは、ＵＬ  ｇｒａｎｔ又はＤＬ  ａｓｓｉｇｎｍｅｎｔであってもよい。この場合、ハンドオーバ制御部４２０が、ターゲットセルに最後にｓｃｈｅｄｕｌｉｎｇ  ｒｅｑｕｅｓｔを送信し、当該ｓｃｈｅｄｕｌｉｎｇ  ｒｅｑｕｅｓｔに対する新規送信を示すＵＬ  ｇｒａｎｔを受信すると、タイマ管理部４３０は、ＲＡＣＨ−ｌｅｓｓハンドオーバが完了したと判断し、タイマを停止してもよい。他方、タイマ満了までにＵＬ  ｇｒａｎｔを受信できなかった場合、タイマ管理部４３０は、ＲＡＣＨ−ｌｅｓｓハンドオーバが失敗したと判断し、ハンドオーバ制御部４２０にＲＡＣＨ−ｌｅｓｓハンドオーバの失敗を通知する。当該通知を受信すると、ハンドオーバ制御部４２０は、再接続手順を実施するため通常のハンドオーバを実行してもよい。
【００６０】
ここで、タイマ管理部４３０は、ＵＬ  ｇｒａｎｔやＤＬ  ａｓｓｉｇｎｍｅｎｔのためのＰＤＣＣＨ（Ｐｈｙｓｉｃａｌ  Ｄｏｗｎｌｉｎｋ  Ｃｏｎｔｒｏｌ  Ｃｈａｎｎｅｌ）を複数回受信した場合に、ＲＡＣＨ−ｌｅｓｓハンドオーバが完了したと判断し、タイマを停止してもよい。ノイズ等の影響によって、ＵＬ  ｇｒａｎｔやＤＬ  ａｓｓｉｇｎｍｅｎｔのためのＰＤＣＣＨを誤検出する可能性があるため、２回以上などの所定の複数回の受信によってＲＡＣＨ−ｌｅｓｓハンドオーバが完了したと判定することが安全性の観点から望ましい。
【００６１】
一実施例では、当該所定のメッセージは、ＲＡＣＨ−ｌｅｓｓハンドオーバのターゲットセルに送信した接続再設定完了メッセージに対する送達確認であってもよい。例えば、ＬＴＥシステムでは、当該接続再設定完了メッセージは、ＲＲＣ  ｃｏｎｎｅｃｔｉｏｎ  ｒｅｃｏｎｆｉｇｕｒａｔｉｏｎ  ｃｏｍｐｌｅｔｅであり、送達確認は、当該ＲＲＣ  ｃｏｎｎｅｃｔｉｏｎ  ｒｅｃｏｎｆｉｇｕｒａｔｉｏｎ  ｃｏｍｐｌｅｔｅに対するＲＬＣ（Ｒａｄｉｏ  Ｌｉｎｋ  Ｃｏｎｔｒｏｌ）−ＡＣＫであってもよい。この場合、ハンドオーバ制御部４２０が、ターゲットセルにＲＲＣ  ｃｏｎｎｅｃｔｉｏｎ  ｒｅｃｏｎｆｉｇｕｒａｔｉｏｎ  ｃｏｍｐｌｅｔｅを送信し、当該ＲＲＣ  ｃｏｎｎｅｃｔｉｏｎ  ｒｅｃｏｎｆｉｇｕｒａｔｉｏｎ  ｃｏｍｐｌｅｔｅの全て又は一部に対してＲＬＣ−ＡＣＫを受信すると、タイマ管理部４３０は、ＲＡＣＨ−ｌｅｓｓハンドオーバが完了したと判断し、タイマを停止してもよい。他方、タイマ満了までにＲＬＣ−ＡＣＫを受信できなかった場合、タイマ管理部４３０は、ＲＡＣＨ−ｌｅｓｓハンドオーバが失敗したと判断し、ハンドオーバ制御部４２０にＲＡＣＨ−ｌｅｓｓハンドオーバの失敗を通知する。当該通知を受信すると、ハンドオーバ制御部４２０は、再接続手順を実施するため通常のハンドオーバを実行してもよい。本実施例によると、上述したＵＬ  ｇｒａｎｔの受信に基づきＲＡＣＨ−ｌｅｓｓハンドオーバの完了を判定する実施例と比較して、ＵＬ  ｇｒａｎｔの誤検出のケースを除外することが可能になるという点で、より精度の高い完了判定が可能になる。
【００６２】
一実施例では、当該所定のメッセージは、所定のダウンリンク制御メッセージであってもよい。すなわち、ＲＡＣＨ−ｌｅｓｓハンドオーバのために新規にダウンリンク制御信号が定義され、ターゲットセルの基地局３０２は、ユーザ装置４００とのＲＡＣＨ−ｌｅｓｓハンドオーバが完了したと判断すると、当該ダウンリンク制御信号をユーザ装置４００に送信する。この場合、ハンドオーバ制御部４２０が、当該ダウンリンク制御信号を受信すると、タイマ管理部４３０は、ＲＡＣＨ−ｌｅｓｓハンドオーバが完了したと判断し、タイマを停止してもよい。他方、タイマ満了までに当該ダウンリンク制御信号を受信できなかった場合、タイマ管理部４３０は、ＲＡＣＨ−ｌｅｓｓハンドオーバが失敗したと判断し、ハンドオーバ制御部４２０にＲＡＣＨ−ｌｅｓｓハンドオーバの失敗を通知する。当該通知を受信すると、ハンドオーバ制御部４２０は、再接続手順を実施するため通常のハンドオーバを実行してもよい。本実施例によると、上述したＲＬＣ−ＡＣＫの受信に基づきＲＡＣＨ−ｌｅｓｓハンドオーバの完了を判定する実施例と比較して、ＲＬＣレイヤの状態不一致等のケースを更に除外することが可能になるという点で、更により精度の高い完了判定が可能になる。
【００６３】
上述した実施例において、ＲＡＣＨ−ｌｅｓｓハンドオーバが完了したと判定されるまで、送受信部４１０は、リソース割当要求メッセージ以外のアップリンクメッセージの送信を停止してもよい。例えば、ＬＴＥシステムでは、ＲＡＣＨ−ｌｅｓｓハンドオーバが完了するまで、送受信部４１０は、アップリンクの干渉を防止するため、ｓｃｈｅｄｕｌｉｎｇ  ｒｅｑｕｅｓｔ以外のＰＵＣＣＨ（Ｐｈｙｓｉｃａｌ  Ｕｐｌｉｎｋ  Ｃｏｎｔｒｏｌ  Ｃｈａｎｎｅｌ）、ＳＲＳ（Ｓｏｕｎｄｉｎｇ  Ｒｅｆｅｒｅｎｃｅ  Ｓｉｇｎａｌ）及びＰＵＳＣＨ（Ｐｈｙｓｉｃａｌ  Ｕｐｌｉｎｋ  Ｓｈａｒｅｄ  Ｃｈａｎｎｅｌ）の送信を停止してもよい。
【００６４】
図８は、本発明の第２実施例によるユーザ装置におけるＲＡＣＨ−ｌｅｓｓハンドオーバ完了判定処理を示すフロー図である。
【００６５】
図８に示されるように、ステップＳ３０１において、ハンドオーバ制御部４２０は、基地局３０１からターゲットセルへのＲＡＣＨ−ｌｅｓｓハンドオーバ指示を受信する。
【００６６】
ステップＳ３０２において、ＲＡＣＨ−ｌｅｓｓハンドオーバ指示の受信に応答して、タイマ管理部４３０は、タイマを起動する。当該タイマは、例えば、ＬＴＥ仕様における通常のハンドオーバ手順に用いられるＴ３０４タイマであってもよいし、ＲＡＣＨ−ｌｅｓｓハンドオーバ手順に用いるための新規のタイマであってもよい。
【００６７】
ステップＳ３０３において、タイマ管理部４３０は、当該タイマの満了までに所定のメッセージを受信できたか判断する。当該所定のメッセージは、例えば、ＲＡＣＨ−ｌｅｓｓハンドオーバのターゲットセルに送信したリソース割当要求メッセージ（ｓｃｈｅｄｕｌｉｎｇ  ｒｅｑｕｅｓｔ）に対するリソース割当メッセージ（ＵＬ  ｇｒａｎｔ又はＤＬ  ａｓｓｉｇｎｍｅｎｔ）であってもよいし、ＲＡＣＨ−ｌｅｓｓハンドオーバのターゲットセルに送信した接続再設定完了メッセージ（ＲＲＣ  ｃｏｎｎｅｃｔｉｏｎ  ｒｅｃｏｎｆｉｇｕｒａｔｉｏｎ  ｃｏｍｐｌｅｔｅ）に対する送達確認（ＲＬＣ−ＡＣＫ）であってもよいし、あるいは、基地局３０２から送信された所定のダウンリンク制御メッセージであってもよい。
【００６８】
当該タイマの満了までに所定のメッセージを受信できた場合（Ｓ３０３：ＹＥＳ）、タイマ管理部４３０は、ステップＳ３０４において、ＲＡＣＨ−ｌｅｓｓハンドオーバが完了したと判断し、タイマを停止する。他方、当該タイマの満了までに所定のメッセージを受信できなかった場合（Ｓ３０３：ＮＯ）、タイマ管理部４３０は、ステップＳ３０５において、ＲＡＣＨ−ｌｅｓｓハンドオーバが失敗したと判断し、再接続手順を実行する。
【００６９】
上述した第１実施例と第２実施例とは組み合わせて利用可能である。すなわち、第１実施例に従って、ターゲットセルへのＲＡＣＨ−ｌｅｓｓハンドオーバが可能であると判定され、当該ターゲットセルへのＲＡＣＨ−ｌｅｓｓハンドオーバが実行された場合、第２実施例に従って、当該ＲＡＣＨ−ｌｅｓｓハンドオーバが完了したか判定されてもよい。
【００７０】
以上、本発明の実施例について詳述したが、本発明は上述した特定の実施形態に限定されるものではなく、特許請求の範囲に記載された本発明の要旨の範囲内において、種々の変形・変更が可能である。
【００７１】
本国際出願は、２０１４年８月２８日に出願した日本国特許出願２０１４−１７４３３１号に基づく優先権を主張するものであり、２０１４−１７４３３１号の全内容を本国際出願に援用する。
【符号の説明】
【００７２】
１０  無線通信システム
１００，１０１，１０２，３００，３０１，３０２  基地局
２００，４００  ユーザ装置
【図１】
2016031779.tif 000003
【図２】
2016031779.tif 000004
【図３】
2016031779.tif 000005
【図４】
2016031779.tif 000006
【図５】
2016031779.tif 000007
【図６】
2016031779.tif 000008
【図７】
2016031779.tif 000009
【図８】
2016031779.tif 000010
【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
ユーザ装置との無線通信を制御する通信制御部と、
ＲＡ（Ｒａｎｄｏｍ  Ａｃｃｅｓｓ）手順なしのハンドオーバが可能なセルを示す対応セル情報を格納する対応セル情報格納部と、
前記ユーザ装置がＲＡ手順なしのハンドオーバ可能であるか判定するＲＡＣＨ−ｌｅｓｓハンドオーバ判定部と、
を有する基地局。
【請求項２】
前記対応セル情報は、前記ＲＡ手順なしのハンドオーバ可能なセルとして、ソースセルと同一の周波数の周辺セル及び前記ソースセルと同一の基地局のセルの少なくとも１つ以上を含む、請求項１記載の基地局。
【請求項３】
前記ＲＡＣＨ−ｌｅｓｓハンドオーバ判定部は、前記対応セル情報を参照して、前記ユーザ装置からメジャメントレポートにより報告されたセル識別子と前記ユーザ装置が接続しているソースセルとに基づき、前記ユーザ装置が前記セル識別子に対応するセルにＲＡ手順なしのハンドオーバ可能であるか判定する、請求項１又は２記載の基地局。
【請求項４】
セルを介し基地局と通信する送受信部と、
接続中のサービングセルの周辺セルに関する周辺セル情報を管理する周辺セル情報管理部と、
前記サービングセルとの接続中に前記周辺セルに対してＰＲＡＣＨ（Ｐｈｙｓｉｃａｌ  Ｒａｎｄｏｍ  Ａｃｃｅｓｓ  Ｃｈａｎｎｅｌ）を送信し、前記送信したＰＲＡＣＨに対して受信したＲＡＲ（Ｒａｎｄｏｍ  Ａｃｃｅｓｓ  Ｒｅｓｐｏｎｓｅ）に示されるタイミング情報と前記サービングセルで適用されているタイミング情報とに基づき、前記周辺セルにＲＡ（Ｒａｎｄｏｍ  Ａｃｃｅｓｓ）手順なしのハンドオーバ可能であるか判定し、前記判定の結果を前記基地局に通知するＲＡＣＨ−ｌｅｓｓハンドオーバ判定部と、
を有するユーザ装置。
【請求項５】
前記ＲＡＣＨ−ｌｅｓｓハンドオーバ判定部は、前記受信したＲＡＲに示されるタイミングアドバンス値と、前記サービングセルで適用されているタイミングアドバンス値との差分を算出し、前記算出した差分が所定値以下である場合、前記周辺セルにＲＡ手順なしのハンドオーバ可能であると判定する、請求項４記載のユーザ装置。
【請求項６】
セルを介し基地局と通信する送受信部と、
接続中のソースセルからターゲットセルへのＲＡ（Ｒａｎｄｏｍ  Ａｃｃｅｓｓ）手順なしのハンドオーバを制御するハンドオーバ制御部と、
前記ＲＡ手順なしのハンドオーバの完了を判定するためのタイマを管理するタイマ管理部と、
を有するユーザ装置であって、
前記タイマ管理部は、前記ソースセルからＲＡＣＨ−ｌｅｓｓハンドオーバ指示を受信すると前記タイマを起動し、前記ＲＡ手順なしのハンドオーバのターゲットセルから所定のメッセージを受信すると前記タイマを停止するユーザ装置。
【請求項７】
前記所定のメッセージは、前記ＲＡ手順なしのハンドオーバのターゲットセルに送信したリソース割当要求メッセージに対するリソース割当メッセージである、請求項６記載のユーザ装置。
【請求項８】
前記所定のメッセージは、前記ＲＡ手順なしのハンドオーバのターゲットセルに送信した接続再設定完了メッセージに対する送達確認である、請求項６記載のユーザ装置。
【請求項９】
前記所定のメッセージは、所定のダウンリンク制御メッセージである、請求項６記載のユーザ装置。
【請求項１０】
前記ＲＡ手順なしのハンドオーバが完了したと判定されるまで、前記送受信部は、リソース割当要求メッセージ以外のアップリンクメッセージの送信を停止する、請求項６乃至９何れか一項記載のユーザ装置。
【国際調査報告】
2016031779.tif 000011
2016031779.tif 000012
2016031779.tif 000013
2016031779.tif 000014
2016031779.tif 000015
2016031779.tif 000016
2016031779.tif 000017
2016031779.tif 000018